(57)【要約】【課題】着用者が自らの手で脱衣でき、かつ洗濯により再利用も可能である医療用上衣を提供する。【解決手段】前身頃２と後身頃３が左右脇線１１，１３で縫着された医療用上衣１であって、襟ぐり部１５から左右の袖端部に向かう左右２つの襟袖線部８，９の少なくとも一方は、襟ぐり部１５を起点として袖端部までの一部又は全部に接合分離手段１０ａ〜１０ｊを設けた分離可能襟袖線部であり、着用者身体の下方から脱衣可能である。これにより汚れ物が顔などに付着することは避けられる。また、洗濯により再利用もできる。さらに、前身頃と後身頃が左右脇線で縫着されていることから、洗濯の際も分離するものは無く、一体として取り扱え、取扱性も良好である。【選択図】図１
2019143262.tif 000002
【特許請求の範囲】
【請求項１】
前身頃と後身頃が左右脇線で縫着された医療用上衣であって、
襟ぐり部から左右の袖端部に向かう左右２つの襟袖線部の少なくとも一方は、襟ぐり部を起点として袖端部までの一部又は全部に接合分離手段を設けた分離可能襟袖線部であり、
着用者身体の下方から脱衣可能であることを特徴とする医療用上衣。
【請求項２】
前記左右２つの襟袖線部は、襟ぐり部を起点として袖端部までの一部又は全部に接合分離手段を設けた分離可能襟袖線部である請求項１に記載の医療用上衣。
【請求項３】
前記左右２つの襟袖線部の少なくとも一方は、襟ぐり部から袖端部までの全部に接合分離手段を設けた分離可能襟袖部である請求項１に記載の医療用上衣。
【請求項４】
前記分離可能襟袖線部は、肩上部から前に向けて分離可能である請求項１〜３に記載の医療用上衣。
【請求項５】
前記分離可能襟袖線部は、接合時に前見頃側の部材が上側になる請求項１〜４のいずれかに記載の医療用上衣。
【請求項６】
前記分離可能襟袖線部は、肩上端又は肩上端より前面側に位置している請求項１〜５のいずれかに記載の医療用上衣。
【請求項７】
前記接合分離手段はスナップ部材である請求項１〜６のいずれかに記載の医療用上衣。
【請求項８】
前記後身頃には、襟部の両側部付近から左右脇部に向かう２つのマチ布を備える請求項１〜７のいずれかに記載の医療用上衣。
【請求項９】
前記医用上衣は、綿糸１００％の紡績糸又は綿とポリエステル繊維との混紡糸を含む布帛である請求項１〜８のいずれかに記載の医療用上衣。
【請求項１０】
前記医療用上衣は、スクラブであることを特徴とする請求項１〜９のいずれかに記載の医療用上衣。
【発明の詳細な説明】
【技術分野】
【０００１】
本発明は、医師、看護師、歯科衛生士、検査技師などの医療従事者が着用する医療用上衣に関する。
【背景技術】
【０００２】
医療用上衣には、着用者の動作を妨げず、着用機能がよいことが求められると同時に、患者の血液や体液などの汚れ物が衣服に付着することから、脱衣時にその汚れ物が顔部や頭部に付着するのを避けることが求められる。特に、医療用上衣の中でも手術時に着用される上衣においては、汚れ物の身体への付着を防止する要求は顕著である。特許文献１には、背骨線に沿った背面シームを設け、これを開放することにより脱衣することが提案されている。特許文献２には、手術着の前身頃の襟部から下腹部までの身丈方向に沿った中央部にスリットを設け、襟部に設けた摘みを引っ張って前記スリットを引き裂くことが提案されている。
【先行技術文献】
【特許文献】
【０００３】
【特許文献１】特開平５−５１８０３号公報
【特許文献２】特開２０１４−１６３０２２号公報
【発明の概要】
【発明が解決しようとする課題】
【０００４】
しかし、特許文献１の医療用上衣（手術着）は、着用者以外の人に背面シームを開放してもらう必要があり、使い勝手が良くないという問題があり、特許文献２の医療用上衣（手術着）は、身頃部を引き裂いて脱衣するため、再利用できないという問題があった。
【０００５】
本発明は、上記問題を解決するため、着用者が自らの手で脱衣でき、かつ洗濯により再利用も可能である医療用上衣を提供する。
【課題を解決するための手段】
【０００６】
本発明の医療用上衣は、前身頃と後身頃が左右脇線で縫着された医療用上衣であって、襟ぐり部から左右の袖端部に向かう左右２つの襟袖線部の少なくとも一方は、襟ぐり部を起点として袖端部までの一部又は全部に接合分離手段を設けた分離可能襟袖線部であり、着用者身体の下方から脱衣可能であることを特徴とする。
【発明の効果】
【０００７】
本発明の医療用上衣は、前身頃と後身頃が左右脇線で縫着され、襟ぐり部から左右の袖端部に向かう左右２つの襟袖線部の少なくとも一方は、襟ぐり部を起点として袖端部までの一部又は全部に接合分離手段を設けた分離可能襟袖線部であることにより、着用者身体の下方から脱衣可能であり、かつ洗濯により再利用も可能である。この医療用上衣を着衣するときは、接合分離手段を接合または分離し胴部分から頭部を入れて着用する。脱衣する場合は、接合分離手段を分離して身体の下側から脱衣する。このため、汚れ物が顔などに付着することは避けられる。また、接合分離手段は開閉が可能であるため、洗濯により再利用もできる。さらに、前身頃と後身頃が左右脇線で縫着されていることから、洗濯の際も分離するものは無く、一体として取り扱え、取扱性も良好である。
【図面の簡単な説明】
【０００８】
【図１】図１は本発明の一実施形態における医療用上衣の正面図である。
【図２】図２は同、医療用上衣の背面図である。
【図３】図３は同、医療用上衣の片側の接合分離手段を前に向けて分離し、分離可能襟袖線部を開いた状態の説明図である。
【図４】図４は同、医療用上衣の接合分離手段を、肩上端又は肩上端から前面側に設けた例の正面図である。
【図５】図５は本発明の別の実施形態における医療用上衣の正面図である。
【図６】図６は同、医療用上衣の片側の接合分離手段を前に向けて分離し、分離可能襟袖線部を開いた状態の説明図である。
【発明を実施するための形態】
【０００９】
本発明の医療用上衣は、前身頃と後身頃が左右脇線で縫着されており、通常は左右両袖が袖下線で縫着されている。この医療用上衣は、襟ぐり部から左右の袖端部に向かう左右の襟袖線部の少なくとも一方は、襟ぐり部を起点として一部又は全部に接合分離手段を設けた分離可能襟袖線部とされる。接合分離手段は、分離したときに開口部が胴回り以上の大きさになればよく、好ましくは襟ぐり部から袖端部に向かう前身頃と後身頃及び袖が接合分離可能である。これにより、医療用上衣を脱衣する際は、接合分離手段を分離し、襟ぐり部から袖端部に向かう左右襟袖線部の一部好ましくは全部を開き、足側に引っ張ると脱衣が可能となる。前記左右２つの襟袖線部は、襟ぐり部を起点として袖端部の途中まで接合分離手段を設け、残りの袖端部は連続していてもよい。
【００１０】
前記左右両線は、肩上部から前に向けて分離可能であるのが好ましい。これにより、着用者が自らの手で下方に向けて容易に脱衣できる。
【００１１】
前記左右両線の接合分離手段は、肩上端又は肩上端から前面側に位置しているのが好ましい。これらの位置であれば、着用者が自らの手で容易に脱衣できる。
【００１２】
前記接合分離手段は、スナップ（ホック）、スナップ付きテープ、ボタン、面ファスナー、スライドファスナーなどが使用できるが、この中でもスナップ部材が好ましい。スナップ部材は洗濯しても繊維屑の吸着が無く衛生的であり、開閉操作も円滑にできる。面ファスナーは洗濯時に繊維屑等が溜まりやすく、好ましくない。
【００１３】
後身頃には、襟部の両側部付近から背骨に向かう２辺のマチと、前記２辺のマチの途中から左右脇部に向かう各々２本のマチを含むことが好ましい。これにより、着用者の動作性を向上できる。また、後見頃の肩あたりから袖までを１枚の連続した布にできるので、スナップ部材をミシンにより縫着しやすい。
【００１４】
本発明の医療用上衣は、スクラブであることが好ましい。一般的に外科手術などを行う際には、菌の侵入などを防止するために、手術中に患者に接する前身頃には、開き部を作らないことが通常である。本発明の医療用上衣においても、好ましくは前身頃に開き部は無く、着衣時はいわゆる被って着る型の医療用上衣である。このような医療用上衣はスクラブやスクラブシャツとも呼ばれる。なお、スクラブは手術着として用いられることもあり、その場合に特に本発明の効果が発揮される。
【００１５】
本発明の医療用上衣は、綿糸１００％の紡績糸又は綿（コットン）とポリエステル繊維との混紡糸を含む布帛であるのが好ましい。綿（コットン）とポリエステル繊維との混紡糸の場合は、綿１０〜９０質量％、ポリエステル繊維９０〜１０質量％の割合で混紡できる。さらに好ましくは、綿２５〜７５質量％、ポリエステル繊維７５〜２５質量％である。ポリエステルはポリエチレンテレフタレート繊維などが好ましい。これにより吸湿性及び耐久性を高くできる。布帛は織物又は編物が好ましい。これにより洗濯が可能であり、繰り返し使用できる。
【００１６】
本発明に適用できる織物としては、平織、斜文織（綾織）、朱子織、変化平織、変化斜文織、変化朱子織、変わり織、紋織、片重ね織、二重組織、多重組織、経パイル織、緯パイル織、絡み織等がある。編み物としては、丸編、緯編、経編、パイル編等を含み、平編、天竺編、フライス編（リブ編，ゴム編，畔編）、スムース編（両面編）、ゴム編、パール編、デンビー組織、コード組織、アトラス組織、鎖編組織、挿入組織等がある。織物又は編物の単位面積当たりの質量(目付)は５０〜５００g/m2が好ましく、さらに好ましくは１００〜４５０g/m2であり、とくに好ましくは１４０〜４００g/m2である。
【００１７】
以下図面を用いて説明する。各図面において、同一符号は同一部分を示す。図１は本発明の一実施形態における医療用上衣（手術着）の正面図、図２は同医療用上衣の背面図である。この医療用上衣１は、前身頃２と、後見頃３と、袖部４，５と、襟ぐり部１５を含み、前身頃２と後見頃３は脇線１１，１３で縫着されている。また、袖部４，５の下部の袖下線１２，１４も縫着されている。そして、襟ぐり部１５の両端部から袖端部に向かう左右襟袖線部（左右両肩部及び両袖部）８，９の少なくとも一方に、襟ぐり部１５を起点として一部または全部に接合分離手段１０ａ〜１０ｊを設けている。本実施形態においては、接合分離手段１０ａ〜１０ｊはスナップ部材としている。また、左右襟袖線部８，９は肩上端及び袖上端に位置し、接合分離手段１０ａ〜１０ｊは、肩上部から前に向けて分離可能である。
【００１８】
後身頃３には、ヨーク布１６と、襟ぐり部１５の両側部付近から背骨に向かう２辺の縫着辺１６ａ，１６ｂと、これをつなぐ縫着辺１６ｃと、前記２辺の縫着辺１６ａ，１６ｂの途中から左右脇部に向かう各々２つのマチ布１７とを含むことが好ましい。マチ布１７は、後身頃の襟ぐりから脇下にかけての縫着辺１７ａ，１７ｄと後袖布の衿ぐりから脇下にかけての縫着辺１７ｂ，１７ｃとの間に直線状に裁断された帯状であって、背面側においてハの字状に配置されていることが好ましい。さらに、マチ布１７は、衿ぐりの一部を構成する上端辺から前身頃の脇下部分の胴部縫着辺に縫着される下端辺にかけてその幅が漸次広がる形状に形成されており、後身頃、後袖布及びマチ布を含む背面側の布地面積は、前身頃及び前袖布を含む正面側の布地面積より広い面積ことが好ましい。マチ布は、伸縮性を有する素材で形成されていてもよい。ヨーク布１６は、襟ぐり周辺に設けられており、下端部が傾斜辺を有する逆三角形状に形成されており、マチ布の上端部は、ヨーク布１６の上端辺で縫着されるのに加え、ヨーク布１６の傾斜辺に縫着されていることが好ましい。これにより、着用者の動作性を向上できる。また、背面の肩あたりから袖までを１枚の連続した布にできるので、スナップ部材をミシンにより縫着しやすい。６，７は袖部である。このマチ布の配置は接合分離手段に干渉しないため、接合分離手段の縫製を阻害せずに動作性を向上させることができる。また、マチ布を背面に配置することで、特に腕を前後させる動作性が向上するため、手術中長時間に渡って腕を前に出すことになる手術着として用いる場合に特に本発明の効果が発揮される。
【００１９】
図３は同、医療用上衣１の接合分離手段１０ｆ〜１０ｊを前に向けて分離し、襟ぐり部から袖端部に向かう片側襟袖線部を開いた状態の説明図である。この状態、又は接合分離手段１０ａ〜１０ｅも開いて着脱する。すなわち、脱衣する場合は、接合分離手段を分離して身体の下側から脱衣する。
【００２０】
図４は同、医療用上衣の左右襟袖線部の接合分離手段を、肩上端から前面側に設けた例の正面図である。これにより、接合分離手段を前に向けて分離し易くなる。
【００２１】
図５は本発明の別の実施形態における医療用上衣の正面図である。図１の医療用上衣と異なる点は、両袖端部が縫着部１８ａ，１８ｂとなっていることである。すなわち、左右２つの襟袖線部は、襟ぐり部を起点として襟袖線部の途中までに接合分離手段を設け、接合分離手段を設けていない襟袖線部１８ａ，１８ｂは連続している。この縫着部１８ａ，１８ｂは分離できないが、図６に示すように接合分離手段を前に向けて分離することにより、分離可能襟袖線部を開き、身体の下側から脱衣できる。
【実施例】
【００２２】
以下実施例により、本発明をさらに具体的に説明する。なお本発明は下記の実施例に限定されるものではない。
【００２３】
（実施例１）
綿（コットン）３５質量％、ポリエステル６５質量％の混紡糸（メートル番手３４番）を経糸と緯糸に使用し、平織組織とした質量１７０ｇ／ｍ2の織物を製造した。この織物を使用して、図１〜３に示す手術着（スクラブ）を縫製した。
得られた手術着はLサイズで１着約３００ｇであった。この手術着を手術者が着用したところ、着用者の手で接合分離手段を前に向けて分離することができ、身体の下側から脱衣できた。特に、左右両方の接合分離手段をすべて分離することで、身体に汚れ物が付着することなく、スムーズに身体下方から脱衣できた。また、着用時の動作機能を妨げることなく、着用感もよかった。さらに、洗濯により繰り返し使用ができた。
【産業上の利用可能性】
【００２４】
本発明の医療用上衣は、手術着以外にも医師、看護師、歯科衛生士、検査技師などの医療従事者が着用する医療用上衣、介護着等の医療従事者にも適用できる。
【符号の説明】
【００２５】
１  医療用上衣（手術着）
２  前身頃
３  後見頃
４，５，６，７  袖部
８，９  左右襟袖線部（左右両肩部及び両袖部）
１０ａ〜１０ｊ  接合分離手段
１１，１３  脇線
１２，１４  袖下線
１５  襟ぐり部
１６  ヨーク布
１７  マチ布
１６ａ〜１６ｃ  縫着辺
１７ａ〜１７ｄ  縫着辺
１８ａ，１８ｂ  縫着部
【図１】
2019143262.tif 000003
【図２】
2019143262.tif 000004
【図３】
2019143262.tif 000005
【図４】
2019143262.tif 000006
【図５】
2019143262.tif 000007
【図６】
2019143262.tif 000008